(57)【特許請求の範囲】
【請求項１】
端末装置とコンピュータ装置とを有し、前記端末装置に備えられたＯＳをコンピュータ装置にブートした後に、端末装置の通信機能を用いてサーバと接続、通信を行うシンクライアント端末システムであって、
前記端末装置は、モデムと、ＵＳＢインターフェースと、近距離無線通信インターフェースと、を備え、前記ＵＳＢインターフェースを介して前記ＯＳをコンピュータ装置に送信し、前記近距離無線通信インターフェースを介して前記コンピュータ装置との間の通信データを送受信し、
前記コンピュータ装置は、前記ＯＳが起動する際のワークエリアを展開するとともに、アクセス可能なＲＡＭディスク領域を形成可能なＲＡＭと、ＵＳＢインターフェースと、近距離無線通信インターフェースと、前記ＵＳＢインターフェースを介して接続された前記端末装置がＯＳを記憶する外部メモリとして機能している場合に、前記端末装置を外部メモリとしてマウント処理をするマウント手段と、 前記マウント手段により前記端末装置が外部メモリとしてマウントされると、前記ＲＡＭディスク領域に前記端末装置に記憶されているＯＳを含む複数のプログラムファイルを転送する転送手段と、を備え、前記転送手段によるプログラムファイルの転送処理後、前記近距離無線通信インターフェースを介して前記コンピュータ装置との間の通信データを送受信することを特徴とするシンクライアント端末システム。
【請求項２】
前記端末装置は、メモリカードを装着する装着部を備え、前記ＯＳを記憶したメモリカードを前記装着部に装着し、前記ＵＳＢインターフェースを介して前記ＯＳを前記コンピュータ装置に送信することを特徴とする請求項１に記載のシンクライアント端末システム。
【発明の詳細な説明】
【技術分野】
【０００１】
本発明は、ＯＳ（オペレーティングシステム）を備えた外部端末を接続してコンピュータ装置をシンクライアント端末装置として起動するシンクライアント端末システムに関するものであり、特に、外部端末として携帯電話を用い、携帯電話に備えられたＯＳをコンピュータ装置にブートした後に、特定の操作を行うことなく、携帯電話の通信機能を用いてサーバと接続、通信を行えるようにしたシンクライアント端末システムに関するものである。
【背景技術】
【０００２】
近年、企業内にてテレワークが促進され、社内だけではなくサテライトオフィスや、自宅にて仕事を行うワークスタイルが登場してきた。できる限り社内と同じ環境で仕事をするために、社外からセキュアに社内ＩＴ資産（サーバ、情報処理端末等）を利用できる仕組みとしてシンクライアントシステム、シンクライアント端末が利用されている。
【０００３】
通常、シンクライアントシステムに用いられるシンクライアント端末（コンピュータ装置）は、個人専用の認証キーを用いて、社員が社外利用する情報処理端末を専用シンクライアント端末化するように構成される。例えば、下記の特許文献１（特許第３９１８８２７号公報）には、シンクライアント端末として機能させるために、認証情報などを記憶した耐タンパストレージ機能を有したストレージデバイスを挿入し、サーバに対して遠隔操作させるようにしたセキュアリモートアクセスシステムが開示されている。
【０００４】
また、下記の特許文献２（特開２００９−０６４３００号公報）には、シンクライアント端末（コンピュータ装置）に、コンピュータ装置のＯＳを記憶したＵＳＢメモリなどのリムーバブルメモリを接続し、リムーバブルメモリ上でＯＳを起動してシンクライアント端末化するリムーバブルメモリユニットが開示されている。
【０００５】
更に、下記の特許文献３（特開２０１０−０９２２４０公報）には、コンピュータ装置のＯＳを記憶したマイクロＳＤカードを装着し携帯電話をコンピュータ装置にＵＳＢ接続し、ＯＳをコンピュータ装置にブートした上で、携帯電話の通信機能（モデム機能）を利用してサーバと通信させシンクライアント端末化する情報処理装置が開示されている。
【先行技術文献】
【特許文献】
【０００６】
【特許文献１】特許第３９１８８２７号公報
【特許文献２】特開２００９−０６４３００号公報
【特許文献３】特開２０１０−０９２２４０号公報
【発明の概要】
【発明が解決しようとする課題】
【０００７】
図４は、上記特許文献３に開示されたシンクライアントシステムのための情報処理システム１００の構成を示す概念図である。この情報処理システムは、図４に示すように、携帯電話１１０とパーソナルコンピュータＰＣなどのコンピュータ装置１２０とから構成され、携帯電話１１０の記憶媒体装着スロット（不図示）に、ＯＳが記録されたマイクロＳＤカード１３０などの記憶媒体を装着し、携帯電話１１０とコンピュータ装置１２０とを携帯電話外部接続用のＵＳＢケーブル１４０で接続したものである。携帯電話１１０をマイクロＳＤカード１３０の使用モードにすると、携帯電話１１０に装着されたマイクロＳＤカード１３０は、コンピュータ装置１２０からは、ＵＳＢケーブル１４０で接続されたメモリカードとして認識されるので、コンピュータ装置１２０のＢＩＯＳの働きによりマイクロＳＤカード１３０に組み込まれた（記憶された）ＯＳをコンピュータ装置１２０のＲＡＭに展開して起動させることが可能であり、コンピュータ装置１２０をシンクライアント端末化することができる。
【０００８】
ところで、この携帯電話１１０において、電話番号認証をしたり、この携帯電話１１０を使ってデータ通信を行おうとすると、携帯電話１１０のＵＳＢインターフェース（携帯電話１００のマイクロＳＤカード１３０とコンピュータ装置１２０との接続インターフェース）と、携帯電話１１０の通信インターフェースであるモデム（不図示）が排他的な動作しかできないため、同時には、どちらか一方の機能しか使用することができない。
【０００９】
すなわち、携帯電話１１０のモデムを使う際には、ＯＳが記憶されたマイクロＳＤカード１３０とは接続を切らなければならない。そのため、上記特許文献３の情報処理システムでは、ＯＳ起動時にＯＳ本体のファイルをコンピュータ装置１２０のＲＡＭに転送して、ここからＯＳを起動するシステム構成をとっている。このことにより、マイクロＳＤカード１３０になんらかの情報を記憶する時以外はマイクロＳＤカード１３０との接続を切ることが出来る。
【００１０】
ところで、このシステムにおいては、コンピュータ装置１２０においてＯＳが起動された後、コンピュータ装置１２０とシンクライアントサーバ（不図示）との間のデータ通信を、携帯電話１１０のモデムを使用して行う場合、コンピュータ装置１２０と携帯電話１１０との間のデータ送受信はＵＳＢケーブル１４０を用いて行う構成であるから、携帯電話１１０のマイクロＳＤカード１３０の使用モードを停止し、コンピュータ装置１２０とのデータ通信モードに切り換える必要が生じる。
【００１１】
上記特許文献３の情報処理システムでは、上述のように、携帯電話１１０のマイクロＳＤカード１３０利用モードと、モデムによる通信モードとを切り換える必要があるが、その際は、手動で切り換えを行う構成であった。このため、ユーザに切り換えの手間がかかり、作業量は多く、また操作も携帯電話機器のメーカーによってまちまちであるという問題点があった。
【００１２】
本発明は、上記の問題点に鑑みてなされたものであり、特に、外部端末として携帯電話を用い、携帯電話に備えられたＯＳをコンピュータ装置にブートした後に、特定の操作を行うことなく、携帯電話の通信機能を用いてサーバと接続、通信を行えるようにしたシンクライアント端末システムを提供することを目的とするものである。
【課題を解決するための手段】
【００１３】
前記課題を解決するために、本願の請求項１にかかる発明は、
端末装置とコンピュータ装置とを有し、前記端末装置に備えられたＯＳをコンピュータ装置にブートした後に、端末装置の通信機能を用いてサーバと接続、通信を行うシンクライアント端末システムであって、
前記端末装置は、モデムと、ＵＳＢインターフェースと、近距離無線通信インターフェースと、を備え、前記ＵＳＢインターフェースを介して前記ＯＳをコンピュータ装置に送信し、前記近距離無線通信インターフェースを介して前記コンピュータ装置との間の通信データを送受信し、
前記コンピュータ装置は、前記ＯＳが起動する際のワークエリアを展開するとともに、アクセス可能なＲＡＭディスク領域を形成可能なＲＡＭと、ＵＳＢインターフェースと、近距離無線通信インターフェースと、前記ＵＳＢインターフェースを介して接続された前記端末装置がＯＳを記憶する外部メモリとして機能している場合に、前記端末装置を外部メモリとしてマウント処理をするマウント手段と、 前記マウント手段により前記端末装置が外部メモリとしてマウントされると、前記ＲＡＭディスク領域に前記端末装置に記憶されているＯＳを含む複数のプログラムファイルを転送する転送手段と、を備え、前記転送手段によるプログラムファイルの転送処理後、前記近距離無線通信インターフェースを介して前記コンピュータ装置との間の通信データを送受信することを特徴とする。
【００１４】
また、本願の請求項２にかかる発明は、請求項１にかかるシンクライアント端末システムにおいて、端末装置は、メモリカードを装着する装着部を備え、前記ＯＳを記憶したメモリカードを前記装着部に装着し、前記ＵＳＢインターフェースを介して前記ＯＳを前記コンピュータ装置に送信することを特徴とする
【発明の効果】
【００１５】
請求項１にかかる発明においては、端末装置は、モデムと、ＵＳＢインターフェースと、近距離無線通信インターフェースと、を備え、前記ＵＳＢインターフェースを介して前記ＯＳをコンピュータ装置に送信し、前記近距離無線通信インターフェースを介して前記コンピュータ装置との間の通信データを送受信し、前記コンピュータ装置は、前記ＯＳが起動する際のワークエリアを展開するとともに、アクセス可能なＲＡＭディスク領域を形成可能なＲＡＭと、ＵＳＢインターフェースと、近距離無線通信インターフェースと、前記ＵＳＢインターフェースを介して接続された前記端末装置がＯＳを記憶する外部メモリとして機能している場合に、前記端末装置を外部メモリとしてマウント処理をするマウント手段と、 前記マウント手段により前記端末装置が外部メモリとしてマウントされると、前記ＲＡＭディスク領域に前記端末装置に記憶されているＯＳを含む複数のプログラムファイルを転送する転送手段と、を備え、前記転送手段によるプログラムファイルの転送処理後、前記近距離無線通信インターフェースを介して前記コンピュータ装置との間の通信データを送受信する。
【００１６】
また、請求項２にかかる発明においては、端末装置は、メモリカードを装着する装着部を備え、前記ＯＳを記憶したメモリカードを前記装着部に装着し、前記ＵＳＢインターフェースを介して前記ＯＳを前記コンピュータ装置に送信する。
【００１７】
かかる構成によれば、外部端末として携帯電話を用い、携帯電話に備えられたＯＳ（携帯電話に装着する外部記憶媒体に記憶されたＯＳ）をコンピュータ装置にブートした後に、特定の操作を行うことなく、携帯電話の通信機能を用いてコンピュータ装置とシンクライアントサーバとの接続、通信を行うことができるようになる。
【図面の簡単な説明】
【００１８】
【図１】本発明の実施例にかかるシンクライアントシステムのためのシンクライアント端末システムの概念を示すシステム概念図である。
【図２】本発明の実施例にかかるシンクライアント端末システムを構成する携帯電話の構成を示すブロック図である。
【図３】本発明の実施例にかかるシンクライアント端末システムを構成するコンピュータ装置の構成を示すブロック図である。
【図４】従来のシンクライアントシステムのための情報処理システムの概念を示すシステム概念図である。
【発明を実施するための形態】
【００１９】
以下、本発明の具体例を実施例及び図面を用いて詳細に説明する。但し、以下に示す実施例は、本発明の技術思想を具体化するためのシンクライアント端末システムを例示するものであって、本発明をこのシンクライアント端末システムに特定することを意図するものではなく、特許請求の範囲に含まれるその他の実施形態のシンクライアント端末システムにも等しく適用し得るものである。
【実施例】
【００２０】
図１は、本発明の実施例１にかかるシンクライアント端末システム１０の構成を示すブロック図である。本実施例１にかかるシンクライアント端末システム１０は、図１に示すように、携帯電話１１とパーソナルコンピュータ（ＰＣ）などのコンピュータ装置１２とから構成され、携帯電話１１の記憶媒体装着スロット（不図示）に、ＯＳが記録されたマイクロＳＤカードなどの記憶媒体１３を装着し、携帯電話１１とコンピュータ装置１２とを携帯電話外部接続用のＵＳＢケーブル１４で接続し、近距離無線通信１５により携帯電話１１とコンピュータ装置１２とのデータ通信を行えるように構成したものである。
【００２１】
携帯電話１１をマイクロＳＤカードの使用モードにすると、携帯電話１１に装着されたマイクロＳＤカード１３は、コンピュータ装置１２からは、ＵＳＢケーブル１４で接続されたメモリカードとして認識されるので、コンピュータ装置１１のＢＩＯＳの働きによりマイクロＳＤカード１３に組み込まれた（記憶された）ＯＳをコンピュータ装置１２のＲＡＭに展開して起動させることが可能であり、コンピュータ装置１２をシンクライアント端末化することができる。ここまでは、図４を参照して説明した従来の情報処理システムと同様である。
【００２２】
一方、ＯＳが起動されたコンピュータ装置１２が図示しないシンクラインアトサーバとの間で行うデータ通信（データの送受信）を、携帯電話１１のモデム機能を用いて行う際には、コンピュータ装置１２の認証（パスフレーズ等）、携帯電話１１の電話番号認証に必要な情報、およびコンピュータ装置１２とシンクライアントサーバとの間で送受信するデータは、ブルートゥース（登録商標）などの近距離無線１５を用いて携帯電話１１からコンピュータ装置１２へ、または、コンピュータ装置１２から携帯電話１１に送られ、シンクライアントサーバとのデータ通信を行うように構成されている。
【００２３】
このように、ＵＳＢケーブル１４（ＵＳＢインターフェース）はＯＳが記録されたマイクロＳＤカードをメモリカードとして利用するモードで使用し、コンピュータ装置１２が携帯電話１１の通信機能を介してシンクライアントサーバとの間でデータ通信を行う際には、近距離無線を用いてコンピュータ装置１２と携帯電話１１間のデータ送受信を行うようにしたため、ＵＳＢインターフェースがデータ通信と共用されることがないので、従来のＵＳＢインターフェースとデータ通信モードへの切り換え操作を不用にすることができる。
【００２４】
以下、上述したシンクライアント端末システム１０を構成する携帯電話１１の構成について説明する。図２は、携帯電話１１の構成を示すブロック図である。図３に示すように、携帯電話１１は、メモリ１１１、モデム１１２、コントローラ１１３、および、ＵＳＢインターフェース１１５、近距離無線通信インターフェース１１６を含んで構成されている。
【００２５】
メモリ１１１は、コンピュータ装置１２とＵＳＢインターフェース１１５を介して接続することにより携帯電話１１を外部メモリとして機能させるための記憶手段である。
【００２６】
モデム１１２は、コンピュータ装置１２と近距離無線通信インターフェース１１６を介して接続することにより携帯電話１１をモデムとして機能させるための手段である。
【００２７】
コントローラ１１３は、例えば、マイクロプロセッサであり、ＲＯＭに記憶された制御プログラムにより動作し、携帯電話１１の各部を制御する。
【００２８】
ＵＳＢインターフェース１１５は、ＵＳＢケーブルを装着か可能なコネクタを有しており、コンピュータ装置１２により、携帯電話１１を外部メモリとして認識して、ＵＳＢケーブルを介して携帯電話１１に装着されたマイクロＳＤカード１３（図１参照）に記憶されたＯＳをコンピュータ装置１２に送ることができる。
【００２９】
近距離無線通信インターフェース１１６は、コンピュータ装置１２と無線通信接続するインターフェース部分である。例えば、この近距離無線通信インターフェース１１６は、例えば、ブルートゥース（登録商標）などの近距離無線通信を用いて構成され、コンピュータ装置１２と携帯電話１１との間でデータの送受信を行う。
【００３０】
ＵＳＩＭ（Universal Subscriber Identity Module）１１４は、携帯電話１１に対して着脱自在に備え付けられており、携帯電話１１の加入者情報等を記憶するメモリモジュールである。さらにこのＵＳＩＭ１１４は、認証キー保存領域を備え、上述の通りシンクライアント端末システム１０を使用するに当たっての認証キーを記憶するものである。コンピュータ装置１２は、このＵＳＩＭ１１４に記憶されている認証キーを読み取ることにより使用者が適正なものか否かを判断することができる。
【００３１】
図３は、シンクライアント端末システム１０を構成するコンピュータ装置１２の構成を示すブロック図である。図３に示されるように、コンピュータ装置１２は、ＣＰＵ１２１、ＲＡＭ１２２（ＲＡＭＤｉｓｋ領域１２２ａ）、デバイスコントローラ１２３（マウント手段、アンマウント手段、確保手段、転送手段、通信手段）、ＢＩＯＳＲＯＭ１２４、および、ＵＳＢインターフェース１２５、近距離無線通信インターフェース１２６を含んで構成されている。
【００３２】
なお、図示していないが、コンピュータ装置１２は、キーボード等の操作部、ディスプレイなどの表示部、そのほか、ＲＯＭなどを備えている。なお、本実施形態においては、シンクライアント端末としてコンピュータ装置１２を機能させることを目的としているため、ハードディスクは不要としているが、ハードディスクを備えてもよい。以下、各構成について説明する。
【００３３】
ＣＰＵ１２１は、コンピュータ装置１２を総括制御する部分であり、本実施形態においては、特に、ＲＡＭ１２２に対してＲＡＭＤｉｓｋ領域１２２ａを作成する処理などのほか、ＢＩＯＳの読み込み処理、ＯＳの起動処理、外部及び内部の記憶デバイスに対するマウント処理およびアンマウント処理のための指示を行う部分である。さらに、ＣＰＵ１２１は、コンピュータ装置１２から出力されるboot loaderに含まれている手順プログラムにしたがって、ＯＳの初期化処理、ＯＳコア部分（ＯＳを起動するための基本プログラム）の起動、ＲＡＭＤｉｓｋ領域１２２ａの作成指示、初期スクリプトの展開処理、ＲＡＭ Ｄｉｓｋ領域１２２ａのマウント処理、携帯電話１１のマウント処理、ＯＳのコピー、ＯＳの起動、ＯＳが実行するためのＯＳ用ファイルの展開、ＯＳ上で動作するための各種アプリケーション（通信処理を実行するためのアプリケーション（通信手段）など）の起動処理およびその実行処理を行う。
【００３４】
ＲＡＭ１２２は、ＯＳおよびアプリケーションなどのソフトウエアを展開するメモリである。ＲＡＭ１２２には、ＣＰＵ１２１からの指示のもと、ＲＡＭＤｉｓｋ領域１２２ａが形成され、ＣＰＵ１２１から必要に応じてＲＡＭ Ｄｉｓｋ領域１２２ａに記憶された
ファイル等が読み出される。
【００３５】
ＲＡＭ Ｄｉｓｋ領域１２２ａは、初期スクリプト用の実行プログラムを記憶する部分である初期スクリプト用領域１２２ｂと、ＯＳを起動および実行するためのプログラム（ＯＳ本体部分：ＯＳを実行するための実行ファイル群）を記憶する部分であるＯＳ本体用領域１２２ｃとを含んでいる。そして、各領域は、デバイスコントローラ１２３による処理にしたがって、コンピュータ装置１２に記憶されている初期スクリプトおよびＯＳ本体部分が転送され、記憶する。また、デバイスコントローラ１２３による処理にしたがって、ＯＳを実行するための圧縮さされたライブラリファイルの解凍処理およびその展開を行う領域である。このＲＡＭＤｉｓｋ領域１２２ａに記憶されているファイルは、デバイスコントローラ１２３によりアクセス可能に保持される。
【００３６】
デバイスコントローラ１２３は、ＣＰＵ１２１からの指示に基づいて、ＢＩＯＳなどの
読み込み処理、携帯電話１１が外部メモリとして接続された場合には、そのためのマウント処理／アンマウント処理、および携帯電話１１およびＲＡＭＤｉｓｋ領域１２２ａに対してデータを読み出すためのアクセス処理を行う部分である。また、デバイスコントローラ１２３は、外部メモリとしてマウントされた携帯電話１１に対してアンマウント処理を行った後、近距離無線通信インターフェース１２６を介してデータ通信を行う場合には、当該携帯電話１１をモデムとして認識し利用することができる。
【００３７】
ＢＩＯＳ ＲＯＭ１２４は、ＢＩＯＳ（BasicInput/Output System）を記憶するメモリである。
【００３８】
ＵＳＢインターフェース１２５は、携帯電話１１と通信接続するインターフェース部分である。このＵＳＢインターフェース１２５は、ＵＳＢケーブルを装着か可能なコネクタを有しており、上述のＣＰＵ１２１は、ＵＳＢケーブルを介して接続された携帯電話１１を認識することができる。
【００３９】
このように構成されたコンピュータ装置１２は、ＵＳＢインターフェース１２５を介して携帯電話１１が外部メモリとして設定されていた場合に、接続することにより、携帯電話１１を外部メモリとして認識させることができる。
【００４０】
また、前述のように、近距離無線通信インターフェース１２６を介してデータ送受信が行われる場合に、携帯電話１１をモデムとして認識させることができる。したがって、コンピュータ装置１２は、ＵＳＢインターフェースを介して、携帯電話１１に記憶されているＯＳを取得してＲＡＭに展開し、該ＯＳを起動した後、当該携帯電話をアンマウント処理することにより、携帯電話１１を通信デバイスとして認識し、利用することができる。
【００４１】
なお、上記実施例に説明においては、シンクライアント端末システム構成する端末装置を携帯電話として説明したが、本発明はこれに限られるものでなく、上記実施例において説明した携帯電話と同等の機能を有する端末装置であればシンクライアント端末システム構成する端末装置として用いることができる。
【符号の説明】
【００４２】
１０・・・・・シンクライアント端末システム
１１・・・・・携帯電話
１１１・・・・メモリ
１１２・・・・モデム
１１３・・・・コントローラ
１１４・・・・ＵＳＩＭ
１１５・・・・ＵＳＢインターフェース
１１６・・・・近距離無線インターフェース
１２・・・・・コンピュータ装置
１２１・・・・ＣＰＵ
１２２・・・・ＲＡＭ
１２２ａ・・・ＲＡＭディスク
１２２ｂ・・・初期スクリプト領域
１２２ｃ・・・ＯＳ領域
１２３・・・・デバイスコントローラ
１２４・・・・ＢＩＯＳＲＯＭ
１２５・・・・ＵＳＢインターフェース
１２６・・・・近距離無線インターフェース
１３・・・マイクロＳＤカード
１４・・・ＵＳＢケーブル
１５・・・近距離無線通信部
【図１】
0005630712.tif 000002
【図２】
0005630712.tif 000003
【図３】
0005630712.tif 000004
【図４】
0005630712.tif 000005